(57)【要約】【課題】簡単な構造で安価に接地強化を施すことが可能な電子チューナおよび接地強化を施した電子機器を提供する。【解決手段】電子チューナ１は、チューナ端子１ｔを固定し、チューナ基板を内部に収容する筐体１０を備える。筐体１０は、筐体１０の一部（例えば蓋部１２）を舌片状に切り開いて形成した弾性接地片１３を有する。弾性接地片１３を筐体１０の切開部１３ｃから折り曲げて外部へ突出させ、電子機器２（電子機器２を構成する機器部品２０）の接地部２０ｐへ当接させることにより接地してある。【選択図】図１
2008118541.tif 000002
【特許請求の範囲】
【請求項１】
枠状の外囲部と該外囲部が形成する空間を覆う蓋部とで構成される筐体を備える電子チューナであって、
前記筐体の一部を舌片状に切り開いて形成した弾性接地片を筐体の外部へ突出させて外部の電子機器の接地部に接地する構成としてあることを特徴とする電子チューナ。
【請求項２】
前記弾性接地片は先端部と根元との中間に折り曲げ部を有し、前記先端部は前記接地部に当接され、前記折り曲げ部は前記筐体の内側の接地点に当接してあることを特徴とする請求項１に記載の電子チューナ。
【請求項３】
前記弾性接地片は先端部と根元との中間に折り曲げ部を有し、前記先端部は前記筐体の内側の接地点に当接され、前記折り曲げ部は前記接地部に当接する構成としてあることを特徴とする請求項１に記載の電子チューナ。
【請求項４】
前記弾性接地片は外周を構成する外側舌片および該外側舌片の内側に形成された内側舌片を有し、前記外側舌片は前記接地部に当接され、前記内側舌片は前記筐体の内側の接地点に当接してあることを特徴とする請求項１に記載の電子チューナ。
【請求項５】
前記弾性接地片は外周を構成する外側舌片および該外側舌片の内側に形成された内側舌片を有し、前記外側舌片は前記筐体の内側の接地点に当接され、前記内側舌片は前記接地部に当接する構成としてあることを特徴とする請求項１に記載の電子チューナ。
【請求項６】
前記弾性接地片は、前記蓋部に形成してあることを特徴とする請求項２ないし請求項５のいずれか一つに記載の電子チューナ。
【請求項７】
前記弾性接地片は、前記外囲部に形成してあることを特徴とする請求項２ないし請求項５のいずれか一つに記載の電子チューナ。
【請求項８】
筐体を有する電子チューナを搭載した電子機器であって、
前記電子チューナは、請求項１ないし請求項７のいずれか一つに記載の電子チューナであることを特徴とする電子機器。
【発明の詳細な説明】
【技術分野】
【０００１】
本発明は、筐体から突出させた弾性接地片を用いて電子機器に接地する電子チューナおよびこのような電子チューナを搭載した電子機器に関する。
【背景技術】
【０００２】
電子機器に搭載された電子チューナでは、電子機器から電子チューナに流入するノイズによるビート、電子チューナから発生する不要輻射などを抑制する方法として、電子チューナと電子機器との間で適切な箇所への接地強化を施すことがある。接地強化を施す手段としての従来例を図７、図８に基づいて説明する。
【０００３】
図７は、従来例１に係る電子チューナの接地強化の構成を説明する側面図である。
【０００４】
従来例１に係る電子チューナ１０１は、チューナ端子１０１ｔの配置位置とは異なる位置で、筐体１１０に設けられたガスケット１０３を介して機器部品１２０（電子機器１０２）に接地されている。また、筐体１１０に設けられた外付けバネ１０４を介して機器部品１２０（電子機器１０２）に接地されている。このように従来ガスケット１０３、外付けバネ１０４などを用いて接地強化を図っていた。
【０００５】
しかし、ガスケット１０３、外付けバネ１０４などは、割合高価な部品であること、また、取り付けに別工程を必要とすることから組み立て工賃が掛かり、コストを上昇させる要因となっていた。
【０００６】
図８は、従来例２に係る電子チューナの接地強化の構成を説明する説明図であり、筐体の内部を透視的に示す透視側面図である。
【０００７】
従来例２に係る電子チューナ１０１では、外囲部１１１および蓋部１１２で構成される筐体１１０の内部にチューナ基板１０５が配置してある。蓋部１１２の一部に設けてある弾性接地片１０６は、電子チューナ１０１のチューナ基板１０５やシャーシアングル１１１に当接させ、電子チューナ１０１全体（電子チューナ１０１内部）として接地回路を構成する手段とされている。
【０００８】
なお、筐体の接地方式を開示した例として、例えば、特許文献１がある。
【特許文献１】実開平４−１０７８８５号公報
【発明の開示】
【発明が解決しようとする課題】
【０００９】
上述したとおり、従来の技術は、接地強化に際して別部材を新たに取り付ける必要があり、部品コストの上昇、組み立てコストの上昇をもたらし、生産性を阻害し、コストを増加するという問題があった。また、別部材を適用することから、付け忘れ、取り付け不良などの工程ミスを発生し２次不良の原因となる恐れがあった。
【００１０】
本発明はこのような状況に鑑みてなされたものであり、筐体の一部を用いて形成した弾性接地片を電子機器（機器部品）の接地部へ当接することにより、簡単な構造で安価に接地強化を施すことが可能な電子チューナを提供することを目的とする。
【００１１】
また、本発明は、本発明に係る電子チューナを搭載することにより、接地強化を施した電子機器を提供することを他の目的とする。
【課題を解決するための手段】
【００１２】
本発明に係る電子チューナは、枠状の外囲部と該外囲部が形成する空間を覆う蓋部とで構成される筐体を備える電子チューナであって、前記筐体の一部を舌片状に切り開いて形成した弾性接地片を筐体の外部へ突出させて外部の電子機器の接地部に接地する構成としてあることを特徴とする。
【００１３】
この構成により、電子機器の接地部への電子チューナの接地が容易となり、電子チューナと電子機器との接地を簡単な構成で確実に強化することができる。
【００１４】
また、本発明に係る電子チューナでは、前記弾性接地片は先端部と根元との中間に折り曲げ部を有し、前記先端部は前記接地部に当接され、前記折り曲げ部は前記筐体の内側の接地点に当接してあることを特徴とする。
【００１５】
この構成により、簡単な構造の弾性接地片で接地部への接地を容易に取ることができ、また、接地点に対する接地を併せて取ることができるので、さらに強固で安定した接地を確保することが可能となる。
【００１６】
また、本発明に係る電子チューナでは、前記弾性接地片は先端部と根元との中間に折り曲げ部を有し、前記先端部は前記筐体の内側の接地点に当接され、前記折り曲げ部は前記接地部に当接する構成としてあることを特徴とする。
【００１７】
この構成により、簡単な構造の弾性接地片で接地部への接地を容易に取ることができ、また、接地点に対する接地を併せて取ることができるので、さらに強固で安定した接地を確保することが可能となる。
【００１８】
また、本発明に係る電子チューナでは、前記弾性接地片は外周を構成する外側舌片および該外側舌片の内側に形成された内側舌片を有し、前記外側舌片は前記接地部に当接され、前記内側舌片は前記筐体の内側の接地点に当接してあることを特徴とする。
【００１９】
この構成により、簡単な構造で比較的大きい面積とした弾性接地片（外側舌片）で接地部への接地を取ることができ、また、接地部および接地点の状態に応じた接地を取ることができる。
【００２０】
また、本発明に係る電子チューナでは、前記弾性接地片は外周を構成する外側舌片および該外側舌片の内側に形成された内側舌片を有し、前記外側舌片は前記筐体の内側の接地点に当接され、前記内側舌片は前記接地部に当接する構成としてあることを特徴とする。
【００２１】
この構成により、簡単な構造で比較的大きい面積とした弾性接地片（外側舌片）で接地点への接地を取ることができ、また、接地部および接地点の状態に応じた接地を取ることができる。
【００２２】
また、本発明に係る電子チューナでは、前記弾性接地片は、前記蓋部に形成してあることを特徴とする。
【００２３】
この構成により、外囲部に比較して大きい面積を有する蓋部に弾性接地片を形成することから、電子機器の接地部への接地が極めて容易となる。
【００２４】
また、本発明に係る電子チューナでは、前記弾性接地片は、前記外囲部に形成してあることを特徴とする。
【００２５】
この構成により、外囲部の枠状の全方向で電子機器の接地部への接地が可能となり、接地部の位置、接地点の位置に応じた接地が可能となる。
【００２６】
また、本発明に係る電子機器は、筐体を有する電子チューナを搭載した電子機器であって、前記電子チューナは、本発明に係る電子チューナであることを特徴とする。
【００２７】
この構成により、接地を強化した電子チューナを搭載した接地の信頼性の高い電子機器とすることができる。
【発明の効果】
【００２８】
本発明に係る電子チューナによれば、筐体の一部を舌片状に切り開いて形成した弾性接地片を筐体の外部へ突出させて電子機器の接地部に接地することから、電子機器の接地部への電子チューナの接地が容易となり、電子チューナと電子機器との接地を簡単な構成で確実に強化することができるという効果を奏する。
【００２９】
また、本発明に係る電子機器によれば、本発明に係る電子チューナを搭載することから、接地を強化した接地の信頼性の高い電子機器とすることができるという効果を奏する。
【発明を実施するための最良の形態】
【００３０】
以下、本発明の実施の形態を図面に基づいて説明する。
【００３１】
＜実施の形態１＞
図１は、本発明の実施の形態１に係る電子チューナの弾性接地片を説明する説明図であり、（Ａ）は電子チューナの蓋部に形成された弾性接地片を示す正面図、（Ｂ）は（Ａ）の斜視図、（Ｃ）は電子チューナを電子機器の機器部品に接地した状態を示す側面図である。
【００３２】
本実施の形態に係る電子チューナ１は、チューナ端子１ｔを固定し、チューナ基板（不図示）を内部に収容する筐体１０を備える。筐体１０は、枠状の外囲部１１と、外囲部１１が形成する空間を覆う蓋部１２とで構成してある。また、筐体１０は、電子機器２（機器部品２０）に搭載され、電子チューナ１として機能することにより電子機器２を動作させる。
【００３３】
筐体１０は、チューナ基板に対する周囲からの電磁波の影響を防止するための電磁遮蔽を行なう必要があることから、例えばアルミニウムなどの金属板で構成してある。筐体１０は、筐体１０の一部（例えば蓋部１２）を舌片状に切り開いて形成した弾性接地片１３を有する。弾性接地片１３を筐体１０の切開部１３ｃから折り曲げて外部へ突出させ、電子機器２（電子機器２を構成する機器部品２０）の接地部２０ｐへ当接させることにより接地してある。
【００３４】
金属板で構成してある弾性接地片１３は、弾性を有することから、接地部２０ｐへ確実にかつ強固に当接することが可能となり、他の部品を適用しないで接地を実現することができる。したがって、接地のための組み立て工程での半田付け、他の部品の取り付けなどが全く不要となり、接地のための組み立て工程での工程不良の発生を確実に防止することが可能となる。
【００３５】
つまり、この構成により、接地を取るためのガスケットなどが不要となって簡単に組み立てることが可能となることから、電子機器２の接地部２０ｐへの電子チューナ１の接地が容易となり、電子チューナ１と電子機器２との接地を簡単な構成で確実に強化することができる。
【００３６】
弾性接地片１３は、切開部１３ｃの形状を適宜設定して切開加工することで容易に形状を設定することが可能であり、接地部２０ｐへの最適な接地が可能な形状とすることが容易にできる。筐体１０の素材をそのまま適用することから、別部材を必要とせず、別部材を組み立てる追加の組立工程も不要であり、簡単な構成で安価に接地を強化することが可能となる。
【００３７】
また、外囲部１１に比較して大きい面積を有する蓋部１２に弾性接地片１３を形成することにより、電子機器２０の接地部２０ｐへの接地が極めて容易となる。
【００３８】
＜実施の形態２＞
図２および図３に基づいて実施の形態２を説明する。
【００３９】
図２は、本発明の実施の形態２に係る電子チューナの弾性接地片を説明する説明図であり、弾性接地片の先端部を電子機器の機器部品に接地した状態を示す側面図である。
【００４０】
本実施の形態に係る弾性接地片１３は、舌片状の弾性接地片１３の中間に折り曲げ部１３ｗを形成してある。折り曲げ位置を変えて折り曲げ部１３ｗが接地する位置を異ならせることが可能となる。なお、本実施の形態に係る電子チューナ１の基本構成は、実施の形態１と同様であり主に異なる点について説明する。
【００４１】
図２に示す電子チューナ１の弾性接地片１３は、先端部１３ｔと根元との中間に折り曲げ部１３ｗを有し、折り曲げ部１３ｗが筐体１０の内側に向けられて形成してあり、先端部１３ｔは電子機器２（機器部品２０）が有する接地部２０ｐに当接され、折り曲げ部１３ｗは筐体１０の内側の接地点１０ｐに当接してある。
【００４２】
つまり、蓋部１２（筐体１０）の内側へ折り曲げ部１３ｗを配置した状態で、弾性接地片１３（先端部１３ｔ）を筐体１０（蓋部１２）の外部へ突出させた構成としてある。
【００４３】
この構成により、簡単な構造の弾性接地片１３で接地部２０ｐへの接地を取ることができ、また、接地点１０ｐに対する接地を併せて取ることができるので、さらに強固で安定した接地を確保することが可能となる。
【００４４】
図３は、本発明の実施の形態２に係る電子チューナの弾性接地片を説明する説明図であり、弾性接地片の折り曲げ部を電子機器の機器部品に接地した状態を示す側面図である。図２に示した電子チューナ１の変形例であり、主に図２の場合と異なる点について説明する。
【００４５】
図３に示す電子チューナ１の弾性接地片１３は、先端部１３ｔと根元との中間に折り曲げ部１３ｗを有し、折り曲げ部１３ｗが筐体１０の外側に向けられて形成してあり、先端部１３ｔは筐体１０の内側の接地点１０ｐに当接され、折り曲げ部１３ｗは電子機器２（機器部品２０）が有する接地部２０ｐに当接してある。
【００４６】
つまり、蓋部１２（筐体１０）の内側へ先端部１３ｔを配置した状態で、弾性接地片１３（折り曲げ部１３ｗ）を筐体１０（蓋部１２）の外部へ突出させた構成としてある。
【００４７】
この構成により、簡単な構造の弾性接地片１３で接地部２０ｐへの接地を取ることができ、また、接地点１０ｐに対する接地を併せて取ることができるので、さらに強固で安定した接地を確保することが可能となる。
【００４８】
図２および図３で示したとおり、本実施の形態によれば、接地点１０ｐ、接地部２０ｐの位置状態に対応させて適宜の形状の弾性接地片１３を適用することが可能となり、確実な接地を施すことが可能となる。
【００４９】
また、外囲部１１に比較して大きい面積を有する蓋部１２に弾性接地片１３を形成することにより、電子機器２０の接地部２０ｐへの接地が極めて容易となる。
【００５０】
＜実施の形態３＞
図４および図５に基づいて実施の形態３を説明する。
【００５１】
図４は、本発明の実施の形態３に係る電子チューナの弾性接地片を説明する説明図であり、（Ａ）は弾性接地片の外側舌片を電子機器の機器部品に接地した状態を示す側面図、（Ｂ）は弾性接地片を拡大して示す拡大斜視図である。
【００５２】
図５は、本発明の実施の形態３に係る電子チューナの弾性接地片を説明する説明図であり、（Ａ）は弾性接地片の内側舌片を電子機器の機器部品に接地した状態を示す側面図、（Ｂ）は弾性接地片を拡大して示す拡大斜視図である。
【００５３】
本実施の形態に係る弾性接地片１３は、外周を構成する外側舌片１３ｒおよび外側舌片１３ｒの内側に形成された内側舌片１３ｎを有する。図４および図５で示すとおり、外側舌片１３ｒを電子機器２（機器部品２０）の接地部２０ｐに当接する場合（図４）と、内側舌片１３ｎを電子機器２（機器部品２０）の接地部２０ｐに当接する場合（図５）とがある。なお、本実施の形態に係る電子チューナ１の基本構成は、実施の形態１、実施の形態２と同様であり主に異なる点について説明する。
【００５４】
図４に示す電子チューナ１の弾性接地片１３は、外周を構成する外側舌片１３ｒおよび外側舌片１３ｒの内側に同様に形成された内側舌片１３ｎを有し、それぞれ適宜の方向（逆方向）へ折り曲げられて外側舌片１３ｒは接地部２０ｐに当接され、内側舌片１３ｎは筐体１０の内側の接地点１０ｐに当接してある。
【００５５】
つまり、蓋部１２（筐体１０）の内側へ内側舌片１３ｎを折り曲げて配置した状態で、弾性接地片１３（外側舌片１３ｒ）を筐体１０（蓋部１２）の外部へ突出させた構成としてある。
【００５６】
この構成により、簡単な構造で比較的大きい面積とした弾性接地片１３（外側舌片１３ｒ）で接地部２０ｐへの接地を取ることができ、また、接地部２０ｐおよび接地点１０ｐの状態に応じた接地を取ることができる。
【００５７】
図５に示す電子チューナ１の弾性接地片１３は、外周を構成する外側舌片１３ｒおよび外側舌片１３ｒの内側に同様に形成された内側舌片１３ｎを有し、それぞれ適宜の方向（逆方向）へ折り曲げられて外側舌片１３ｒは筐体１０の内側の接地点１０ｐに当接され、内側舌片１３ｎは接地部２０ｐに当接してある。
【００５８】
つまり、蓋部１２（筐体１０）の内側へ外側舌片１３ｒを折り曲げて配置した状態で、弾性接地片１３（内側舌片１３ｎ）を筐体１０（蓋部１２）の外部へ突出させた構成としてある。
【００５９】
この構成により、簡単な構造で比較的大きい面積とした弾性接地片（外側舌片）で接地点１０ｐへの接地を取ることができ、また、接地部２０ｐおよび接地点１０ｐの状態に応じた接地を取ることができる。
【００６０】
また、外囲部１１に比較して大きい面積を有する蓋部１２に弾性接地片１３を形成することにより、電子機器２０の接地部２０ｐへの接地が極めて容易となる。
【００６１】
＜実施の形態４＞
図６に基づいて実施の形態４を説明する。
【００６２】
図６は、本発明の実施の形態４に係る電子チューナを説明する斜視図である。
【００６３】
実施の形態１ないし実施の形態３に示した弾性接地片１３は蓋部１２に形成されたのに対し、本実施の形態に係る弾性接地片１３は外囲部１１に形成される構成としてある。
【００６４】
図６に示す電子チューナ１は、外囲部１１を枠状（図上、チューナ端子１ｔ対して上面方向に位置する外囲部１１ａ、下面方向に位置する外囲部１１ｂ、背面方向に位置する外囲部１１ｃ、同方向に位置する外囲部１１ｄ。これらを区別する必要がない場合は、外囲部１１とする。）に備えている。本実施の形態では、電子チューナ１が内包するチューナ基板および電子チューナ１が搭載される電子機器２の状況によって変動する接地箇所あるいは接地可能箇所への対応が可能となる。
【００６５】
つまり、本実施の形態では、弾性接地片１３を外囲部１１に形成する構成としてある（不図示）。なお、外囲部１１に弾性接地片１３を形成する場合も、実施の形態１ないし実施の形態３で開示した蓋部１２に弾性接地片１３を形成する場合と基本構成は同様であるので詳細な説明は省略する。
【００６６】
一般的に、外囲部１１は、蓋部１２に比較して面積が小さいことから弾性接地片１３の形状は実施の形態１ないし実施の形態３の場合に比較して多少小さく形成する必要があるが、基本構成は同様であり、同様の作用効果を奏する。
【００６７】
この構成により、外囲部１１の枠状の全方向で、電子機器２（機器部品２０）の接地部２０ｐへの接地が可能となり、接地部２０ｐの位置、接地点１０ｐの位置に応じた適切な接地を取ることが可能となる。
【００６８】
＜実施の形態５＞
本実施の形態は、実施の形態１ないし実施の形態４で説明した電子チューナ１を搭載した電子機器２（不図示）に関する。なお、図１ないし図６を参照して説明する。
【００６９】
実施の形態１ないし実施の形態３（図１ないし図５）で例示したとおり、電子機器２は、電子チューナ１を搭載する構成としてある。したがって、本実施の形態に係る電子機器２は、本発明に係る電子チューナ１を搭載することができる。この構成により、本実施の形態に係る電子機器２は、接地を強化した電子チューナ１を搭載することから、接地の信頼性の高い電子機器２とすることが可能となる。
【図面の簡単な説明】
【００７０】
【図１】本発明の実施の形態１に係る電子チューナの弾性接地片を説明する説明図であり、（Ａ）は電子チューナの蓋部に形成された弾性接地片を示す正面図、（Ｂ）は（Ａ）の斜視図、（Ｃ）は電子チューナを電子機器の機器部品に接地した状態を示す側面図である。
【図２】本発明の実施の形態２に係る電子チューナの弾性接地片を説明する説明図であり、弾性接地片の先端部を電子機器の機器部品に接地した状態を示す側面図である。
【図３】本発明の実施の形態２に係る電子チューナの弾性接地片を説明する説明図であり、弾性接地片の折り曲げ部を電子機器の機器部品に接地した状態を示す側面図である。
【図４】本発明の実施の形態３に係る電子チューナの弾性接地片を説明する説明図であり、（Ａ）は弾性接地片の外側舌片を電子機器の機器部品に接地した状態を示す側面図、（Ｂ）は弾性接地片を拡大して示す拡大斜視図である。
【図５】本発明の実施の形態３に係る電子チューナの弾性接地片を説明する説明図であり、（Ａ）は弾性接地片の内側舌片を電子機器の機器部品に接地した状態を示す側面図、（Ｂ）は弾性接地片を拡大して示す拡大斜視図である。
【図６】本発明の実施の形態４に係る電子チューナを説明する斜視図である。
【図７】従来例１に係る電子チューナの接地強化の構成を説明する側面図である。
【図８】従来例２に掛かる電子チューナの接地強化の構成を説明する説明図であり、筐体の内部を透視的に示す透視側面図である。
【符号の説明】
【００７１】
１  電子チューナ
１ｔ  チューナ端子
２  電子機器
１０  筐体
１０ｐ  接地点
１１  外囲部
１２  蓋部
１３  弾性接地片
１３ｃ  切開部
１３ｗ  折り曲げ部
１３ｔ  先端部
１３ｒ  外側舌片
１３ｎ  内側舌片
２０  機器部品
２０ｐ  接地部
【図１】
2008118541.tif 000003
【図２】
2008118541.tif 000004
【図３】
2008118541.tif 000005
【図４】
2008118541.tif 000006
【図５】
2008118541.tif 000007
【図６】
2008118541.tif 000008
【図７】
2008118541.tif 000009
【図８】
2008118541.tif 000010